【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
接地と第１の電源電圧間の振幅レベルである入力信号を、接地と第２の電源電圧間の振幅レベルである出力信号に変換するレベルシフト回路であって、
前記入力信号の立ち上がりで第１のパルス信号を立ち上げ、前記入力信号の立ち下がりで前記第１のパルス信号と同極性の第２のパルス信号を立ち上げる、前記第１の電源電圧で動作する入力部と、
前記第１のパルス信号の信号レベルを前記第２の電源電圧の振幅レベルに変換する第１のレベル変換回路と、前記第２のパルス信号の信号レベルを前記第２の電源電圧の振幅レベルに変換する第２のレベル変換回路とを含むレベルシフト部と、
前記レベル変換された第１および第２のパルス信号に対応して駆動され、前記出力信号を生成する、前記第２の電源電圧で動作する出力部と、
前記生成された出力信号のレベルを保持する、前記第２の電源電圧で動作する保持部と、
を備え、
前記入力部は、前記第１のパルス信号を前記出力信号の立ち上がりに応じて立ち下げ、前記第２のパルス信号を前記出力信号の立ち下がりに応じて立ち下げるように構成されることを特徴とするレベルシフト回路。
【請求項２】
前記入力部は、前記入力信号と前記出力信号との論理レベルの一致不一致を判断して不一致である時に、前記入力信号の立ち上がりエッジに対応して前記第１のパルス信号を立ち上げ、かつ前記入力信号の立ち下がりエッジに対応して前記第２のパルス信号を立ち上げるように構成され、
前記出力部は、前記第１および第２のパルス信号の立ち上がりタイミングに対応して前記出力信号の論理レベルが遷移するように構成されることを特徴とする請求項１記載のレベルシフト回路。
【請求項３】
前記第１および第２のレベル変換回路のそれぞれは、
ゲートにそれぞれ前記第１および第２のパルス信号を供給し、ソースを第１の電源に接続し、ドレインからレベル変換されたパルス信号を出力する第１導電型トランジスタと、
ゲートを前記第１導電型トランジスタのゲートに接続し、ドレインを前記第１導電型トランジスタのドレインに接続し、ソースをトランジスタ接続群を介して第２の電源に接続する第１の第２導電型トランジスタと、
を備え、
前記トランジスタ接続群は、１乃至２以上の第２導電型のトランジスタで構成されることを特徴とする請求項１記載のレベルシフト回路。
【請求項４】
前記トランジスタ接続群は、ゲートを前記第１導電型トランジスタのゲートまたは接地に接続し、ドレインを前記第１の第２導電型トランジスタのソースに接続し、ソースを前記第２の電源に接続する第２の第２導電型トランジスタであることを特徴とする請求項３記載のレベルシフト回路。
【請求項５】
前記トランジスタ接続群は、
ゲートを前記第１導電型トランジスタのゲートまたは接地に接続し、ドレインを前記第１の第２導電型トランジスタのソースに接続する第２の第２導電型トランジスタと、
ゲートを前記第１導電型トランジスタのゲートまたは接地に接続し、ドレインを前記第２の第２導電型トランジスタのソースに接続し、ソースを前記第２の電源に接続する第３の第２導電型トランジスタと、
からなることを特徴とする請求項３記載のレベルシフト回路。
【請求項６】
前記トランジスタ接続群は、
ゲートに前記第１導電型トランジスタのドレインの反転信号を供給し、ドレインを前記第１の第２導電型トランジスタのソースに接続し、ソースを前記第２の電源に接続する第２の第２導電型トランジスタと、
ゲートに前記出力信号に係る信号を供給し、ドレインを前記第１の第２導電型トランジスタのソースに接続し、ソースを前記第２の電源に接続する第３の第２導電型トランジスタと、
からなり、
前記トランジスタ接続群が前記第１のレベル変換回路に含まれる場合、前記第３の第２導電型トランジスタのゲートは、前記出力信号の反転信号が供給され、
前記トランジスタ接続群が前記第２のレベル変換回路に含まれる場合、前記第３の第２導電型トランジスタのゲートは、前記出力信号が供給されることを特徴とする請求項３記載のレベルシフト回路。
【請求項７】
入力信号の立ち上がりで第１のパルス信号を生成し、該入力信号の立ち下がりで該第１のパルス信号と同極性の第２のパルス信号を生成する入力部と、
前記第１のパルス信号の信号レベルを変換する第１のレベル変換回路と、前記第２のパルス信号の信号レベルを変換する第２のレベル変換回路とを含むレベルシフト部と、
前記レベル変換された第１および第２のパルス信号に対応して駆動され、出力信号を生成する出力部と、
前記生成された出力信号のレベルを保持する保持部と、
を備え、
前記入力部は、前記生成した第１および第２のパルス信号を前記出力信号によって消失するように構成されることを特徴とするレベルシフト回路。
【請求項８】
前記入力部は、前記入力信号と前記出力信号との論理レベルの一致不一致を判断して不一致である時に、前記入力信号の立ち上がりエッジに対応して前記第１のパルス信号を生成し、かつ前記入力信号の立ち下がりエッジに対応して前記第２のパルス信号を生成するように構成され、
前記出力部は、前記第１および第２のパルス信号の生成タイミングに対応して前記出力信号の論理レベルが遷移するように構成されることを特徴とする請求項７記載のレベルシフト回路。
【請求項９】
前記第１および第２のレベル変換回路のそれぞれは、
ゲートにそれぞれ前記第１および第２のパルス信号を供給し、ソースを第１の電源に接続し、ドレインからレベル変換されたパルス信号を出力する第１導電型トランジスタと、
ゲートを前記第１導電型トランジスタのゲートに接続し、ドレインを前記第１導電型トランジスタのドレインに接続し、ソースをトランジスタ接続群を介して第２の電源に接続する第１の第２導電型トランジスタと、
を備え、
前記トランジスタ接続群は、１乃至２以上の第２導電型のトランジスタで構成されることを特徴とする請求項７記載のレベルシフト回路。
【請求項１０】
前記トランジスタ接続群は、ゲートを前記第１導電型トランジスタのゲートまたは接地に接続し、ドレインを前記第１の第２導電型トランジスタのソースに接続し、ソースを前記第２の電源に接続する第２の第２導電型トランジスタであることを特徴とする請求項９記載のレベルシフト回路。
【請求項１１】
前記トランジスタ接続群は、
ゲートを前記第１導電型トランジスタのゲートまたは接地に接続し、ドレインを前記第１の第２導電型トランジスタのソースに接続する第２の第２導電型トランジスタと、
ゲートを前記第１導電型トランジスタのゲートまたは接地に接続し、ドレインを前記第２の第２導電型トランジスタのソースに接続し、ソースを前記第２の電源に接続する第３の第２導電型トランジスタと、
からなることを特徴とする請求項９記載のレベルシフト回路。
【請求項１２】
前記トランジスタ接続群は、
ゲートに前記第１導電型トランジスタのドレインの反転信号を供給し、ドレインを前記第１の第２導電型トランジスタのソースに接続し、ソースを前記第２の電源に接続する第２の第２導電型トランジスタと、
ゲートに前記出力信号に係る信号を供給し、ドレインを前記第１の第２導電型トランジスタのソースに接続し、ソースを前記第２の電源に接続する第３の第２導電型トランジスタと、
からなり、
前記トランジスタ接続群が前記第１のレベル変換回路に含まれる場合、前記第３の第２導電型トランジスタのゲートは、前記出力信号の反転信号が供給され、
前記トランジスタ接続群が前記第２のレベル変換回路に含まれる場合、前記第３の第２導電型トランジスタのゲートは、前記出力信号が供給されることを特徴とする請求項９記載のレベルシフト回路。
【手続補正２】
【補正対象書類名】明細書
【補正対象項目名】００１９
【補正方法】変更
【補正の内容】
【００１９】
本発明の１つのアスペクトに係るレベルシフト回路は、接地と第１の電源電圧間の振幅レベルである入力信号を、接地と第２の電源電圧間の振幅レベルである出力信号に変換するレベルシフト回路であって、入力信号の立ち上がりで第１のパルス信号を立ち上げ、入力信号の立ち下がりで第１のパルス信号と同極性の第２のパルス信号を立ち上げる、第１の電源電圧で動作する入力部と、第１のパルス信号の信号レベルを第２の電源電圧の振幅レベルに変換する第１のレベル変換回路と、第２のパルス信号の信号レベルを第２の電源電圧の振幅レベルに変換する第２のレベル変換回路とを含むレベルシフト部と、レベル変換された第１および第２のパルス信号に対応して駆動され、出力信号を生成する、第２の電源電圧で動作する出力部と、生成された出力信号のレベルを保持する、第２の電源電圧で動作する保持部と、を備え、入力部は、第１のパルス信号を出力信号の立ち上がりに応じて立ち下げ、第２のパルス信号を出力信号の立ち下がりに応じて立ち下げるように構成される。
本発明の他のアスペクトに係るレベルシフト回路は、入力信号の立ち上がりで第１のパルス信号を生成し、入力信号の立ち下がりで第１のパルス信号と同極性の第２のパルス信号を生成する入力部と、第１のパルス信号の信号レベルを変換する第１のレベル変換回路と、第２のパルス信号の信号レベルを変換する第２のレベル変換回路とを含むレベルシフト部と、レベル変換された第１および第２のパルス信号に対応して駆動され、出力信号を生成する出力部と、生成された出力信号のレベルを保持する保持部と、を備え、入力部は、生成した第１および第２のパルス信号を出力信号によって消失するように構成される。
【手続補正３】
【補正対象書類名】明細書
【補正対象項目名】００２０
【補正方法】変更
【補正の内容】
【００２０】
本発明によれば、第１のおよび第２のパルス信号の信号レベルを第１および第２のレベル変換回路によって変換し出力信号を生成するので、出力信号における立ち上がりと立下がりの遅延時間のバランスを良くすることができる。したがって、レベルシフトを高速に動作させることができる。
【手続補正４】
【補正対象書類名】明細書
【補正対象項目名】００２１
【補正方法】変更
【補正の内容】
【００２１】
本発明の実施形態に係るレベルシフト回路は、入力部と、レベルシフト部と、出力部と、保持部と、を備える。入力部は、入力信号の立ち上がりで第１のパルス信号を生成し、入力信号の立ち下がりで第１のパルス信号と同極性の第２のパルス信号を生成し、生成した第１および第２のパルス信号を出力信号によって消失させる。レベルシフト部は、第１のパルス信号の信号レベルを変換する第１のレベル変換回路と、第２のパルス信号の信号レベルを変換する第２のレベル変換回路とを含む。出力部は、レベル変換された第１および第２のパルス信号に対応して駆動され、出力信号を生成する。保持部は、生成された出力信号のレベルを保持する。
【手続補正５】
【補正対象書類名】明細書
【補正対象項目名】００２２
【補正方法】変更
【補正の内容】
【００２２】
本発明のレベルシフト回路において、入力部は、入力信号と出力信号との論理レベルの一致不一致を判断して不一致である時に、入力信号の立ち上がりエッジに対応して第１のパルス信号を生成し、かつ入力信号の立ち下がりエッジに対応して第２のパルス信号を生成するように構成され、出力部は、第１および第２のパルス信号の生成タイミングに対応して出力信号の論理レベルが遷移するように構成されることが好ましい。
【手続補正６】
【補正対象書類名】明細書
【補正対象項目名】００２３
【補正方法】変更
【補正の内容】
【００２３】
本発明のレベルシフト回路において、第１および第２のレベル変換回路のそれぞれは、ゲートにそれぞれ第１および第２のパルス信号を供給し、ソースを第１の電源に接続し、ドレインからレベル変換されたパルス信号を出力する第１導電型トランジスタと、ゲートを第１導電型トランジスタのゲートに接続し、ドレインを第１導電型トランジスタのドレインに接続し、ソースをトランジスタ接続群を介して第２の電源に接続する第１の第２導電型トランジスタと、を備え、トランジスタ接続群は、１乃至２以上の第２導電型のトランジスタで構成されることが好ましい。